(57)【特許請求の範囲】
【請求項１】
洋風便器の後部にケーシングが設置され、該ケーシング内に擬音発生用のスピーカが設置されている便器設備において、該スピーカを該ケーシングの後面、側面及び上面のいずれかの面の内面に正対させ、且つ該ケーシング内面との間隔を２０ｍｍ以下としたことを特徴とする便器設備。
【発明の詳細な説明】
【０００１】
【発明の属する技術分野】
本発明は、便器流水音などの音を発生させる擬音装置を備えた便器設備に関するものである。詳しくはスピーカ出力が小さくても大きな擬音を発生させうる擬音装置を備えた便器設備に関する。
【０００２】
【従来の技術】
便器流水音などの擬音を発生させる擬音装置付きの便器設備が既に実用化されている。従来の擬音装置付き便器設備にあっては、実開昭６３−１００５８３号、実開平４−１３８４７４号、特開平５−７９０８４号等に見られる通り、ケーシングの前面に開口を穿ち、スピーカを該開口に嵌め込むようにして取り付けている。
【０００３】
【発明が解決しようとする課題】
本発明は、スピーカ出力を増大させることなく大きな擬音を発生させるようにした擬音装置を備えた便器設備を提供することを目的とする。
【０００４】
【課題を解決するための手段】
本発明の便器設備は、洋風便器の後部にケーシングが設置され、該ケーシング内に擬音発生用のスピーカが設置されている便器設備において、該スピーカを該ケーシングの後面、側面及び上面のいずれかの面の内面に正対させ、且つ該ケーシング内面との間隔を２０ｍｍ以下（好ましくは１５ｍｍ以下、特に好ましくは１０ｍｍ以下）としたことを特徴とするものである。
【０００５】
かかる本発明の便器設備にあっては、スピーカがケーシング内面に正対し且つ両者の間隔が小さいので、スピーカ出力によってケーシングそれ自体が共鳴振動し大きな擬音が発生するようになる。
【０００６】
本発明では、ケーシングのスピーカ対峙面を無孔とすることにより、この擬音が著しく大きくなると共に、異物や水などがスピーカに付くことが防止される。また、清掃も容易となる。ただし、ケーシングのスピーカ対峙面に開口を設けても良いが、この場合にはスピーカの該対峙面への投影面積の２０％以下の開口率となるようにするのが好ましい。
【０００７】
本発明の便器設備にあっては、ケーシングを便座ボックスにて構成するのが好ましく、この場合、スピーカを便座ボックスの後面に正対させるのが好ましい。
【０００８】
【発明の実施の形態】
以下、図面を参照して実施の形態について説明する。図１は実施の形態に係る擬音装置を備えた便座ボックスの透視斜視図、図２はこの便座ボックスの斜視図、図３はこの便座ボックスから便座及び便蓋を取り外した状態の斜視図、図４はこの便座ボックスからさらにケースアッパーを取り外した状態の斜視図、図５は図３のＶ−Ｖ線に沿う断面図である。
【０００９】
便座ボックス１は洋風便器の後部上面に設置されるものであり、その前面側に便座２及び便蓋３が起倒回動可能に取り付けられる。便座ボックス１は側方に張り出す張り出し部４を一体に備えており、この張り出し部４の上面にスイッチ群５と洗浄強さ調節用のダイアル６とが設けられている。
【００１０】
便座ボックス１は、ケースボトム１０とケースアッパー１１とを有した箱状ケーシングよりなる。ケースボトム１０はボルト（図示略）により洋風便器の後部上面に固定される。ケースアッパー１１はケースボトム１０に対しビス（図示略）によって着脱可能に連結されている。
【００１１】
便座ボックス１内には温水タンク１２、給湯ホース１３、切替弁１４、お尻洗浄ノズル１５、ビデ洗浄ノズル１６等よりなる臀部洗浄機構が設置されている。該温水タンク１２へ給水チューブ８及びストレーナ９を介して水道水が供給される。温水タンク１２内の温水がノズル１５又は１６の先端から噴出して便座着座者の臀部に注ぎかけられる。
【００１２】
また、便座ボックス１内には脱臭ファン１７及び温風ファン（図示略）と擬音発生器２０とが設けられている。
【００１３】
脱臭ファン１７は、洋風便器の便鉢内の空気を吸い込み活性炭等のフィルタを通過させた後該空気をトイレルーム内へ放出させるよう構成されている。温風ファンは温風を便座着座者の臀部に吹き付けて乾燥を行うためのものである。図３の通り便座ボックス１の前面の温風吐出口にシャッタ１８が設けられている。
【００１４】
擬音発生器２０は、ケースボトム１０に固定されたユニットケーシング２１と、該ユニットケーシング２１に取り付けられたスピーカ２２と、ユニットケーシング２１に取り付けられたポッティング２３によって埋設されたスピーカ作動用回路基板（図示略）を備えている。
【００１５】
このスピーカ２２は便座ボックス１のケースアッパー１１の後面（背面部１１ａ）に正対しており、該スピーカ２２と便座ボックス１の後面との間隔は２０ｍｍ以下（好ましくは１５ｍｍ以下、特に好ましくは１０ｍｍ以下）となっている。なお、この便座ボックス１の後面のスピーカ対峙面は無孔状となっている。
【００１６】
このように構成された便座ボックス１を備えた洋風便器設備においては、スイッチ群５のうちの擬音発生スイッチを押すとスピーカ２２が作動し、流水音などの擬音が発生する。スピーカ２２が作動すると、ケースアッパー１１の背面部１１ａも共鳴振動し、きわめて大きな擬音が発生する。
【００１７】
なお、種々の実験の結果、擬音発生器２０を前向きに（図４の状態と１８０°反対に）設置した場合と、この実施の形態の通りに擬音発生器２０を設置した場合とでトイレルーム内の擬音音量を計測したところ、本発明側の方が約３ｄＢも高いことが認められた。
【００１８】
この実施の形態の便座ボックス１は、ロータンクを採用しないフラッシュバルブ給水方式の洋風便器に適用するのに好適であるが、ロータンクを洋風便器後部上面に搭載した密結式等の洋風便器にも適用可能である。
【００１９】
上記実施の形態では、スピーカ２２をケースアッパー１１の背面部１１ａに正対させているが、ケースアッパー１１の上面や側面あるいはケースボトム１０にスピーカ２２を正対させても擬音が大きくなる。ただし、平面面積が大きく、しかもトイレルーム室内に臨む背面部１１ａに正対させたときに最も効果的である。なお、便座ボックス１の前面には便座や便蓋が位置し擬音が遮られ易いので、スピーカ２２を便座ボックス１の後面に正対させるのが好ましい。
【００２０】
図示の実施の形態では、便座ボックス１内に擬音発生器２０が設置されているが、ロータンクをロータンクカバーですっぽりと覆い、該ロータンクカバーに便座、便蓋を取り付け、ロータンクカバー内に臀部洗浄装置や擬音発生器を設置するようにしたコンソール型と称される洋風便器にあっては、このロータンクカバーの後面、側面及び上面のいずれかの面の内面にスピーカを正対させるように配置してもよい。
【００２１】
上記実施の形態では便座ボックスのスピーカ正対面を無孔としているが、若干の孔を設けてもよい。この場合、ゴミや水などがスピーカに付かないようにするために、スピーカの投影面積の２０％以下の孔面積率とするのが好ましい。
【００２２】
【発明の効果】
以上の通り、本発明によるとスピーカ出力を増大させることなく大きな擬音を発生させることができる。
【図面の簡単な説明】
【図１】実施の形態に係る擬音装置を備えた便座ボックスの透視斜視図である。
【図２】便座ボックスの斜視図である。
【図３】便座ボックスから便座及び便蓋を取り外した状態の斜視図である。
【図４】図３からさらにケースアッパーを取り外した状態の斜視図である。
【図５】図３のＶ−Ｖ線に沿う断面図である。
【符号の説明】
１  便座ボックス
２  便座
３  便蓋
１０  ケースボトム
１１  ケースアッパー
１１ａ  背面部
２０  擬音発生器
２１  ユニットケーシング
２２  スピーカ
【図１】
0003593906.tif 000002
【図２】
0003593906.tif 000003
【図３】
0003593906.tif 000004
【図４】
0003593906.tif 000005
【図５】
0003593906.tif 000006